(57)【要約】薬剤容器用ゴム栓１は、本体部とそれより小径の首部を有する薬剤容器２に用いられる。ゴム栓１は、本体部３と、これより下方に延び、容器２の開口部に嵌入可能な容器内進入部４を備える。容器内進入部は、容器２への装着時において、容器の首部の内面に接触する外面部４０と、本体部３の下面の中央部から下方に向かってほぼ同一形状にて延びる柱状空隙部４５を形成する上部内面部と、上部内面部の下端より容器内進入部４の外面部４０方向かつ斜め下方に延びる傾斜面６１，６２とを有する。外面部の上端部４８は、容器の首部の内面と環状かつ液密に接触し、傾斜面の下端は、容器内進入部の外面部に到達もしくは近接している。
2017164231.tif 000002
【特許請求の範囲】
【請求項１】
下端が閉塞し、内部に薬剤を収納する筒状の胴部と、前記胴部の上端から上方に延び、上端に開口部が形成された筒状の首部とを有し、前記首部の内径が前記胴部の内径より小径であり、かつ、ほぼ一定である薬剤容器に装着される薬剤容器用ゴム栓であって、
前記薬剤容器用ゴム栓は、本体部と、前記本体部の下面より、下方に延び、前記薬剤容器の前記首部に嵌入可能な筒状の容器内進入部とを備え、
前記本体部は、前記容器内進入部よりも径方向外側に配置され、前記薬剤容器への装着時において、前記開口部の上面と当接する周縁部を有し、
前記容器内進入部は、前記薬剤容器への装着時において、前記薬剤容器の前記首部の内面に接触する外面部と、前記本体部の前記下面の中央部から下方に向かってほぼ同一形状にて延びる柱状空隙部を形成する上部内面部と、前記上部内面部の下端より前記容器内進入部の外面部方向かつ斜め下方に延びる傾斜面とを有し、上記外面部の少なくとも上端部は、前記首部の内面と環状かつ液密に接触しており、前記傾斜面の下端は、前記容器内進入部の外面部に到達もしくは近接していることを特徴とする薬剤容器用ゴム栓。
【請求項２】
前記傾斜面は、前記柱状空隙部の中心軸に対して向かい合うように２つ設けられている請求項１に記載の薬剤容器用ゴム栓。
【請求項３】
前記容器内進入部は、上端部より下方に、前記柱状空隙部と連通する側部空隙部を備えている請求項１または２に記載の薬剤容器用ゴム栓。
【請求項４】
前記側部空隙部は、前記柱状空隙部を挟んで向かい合うように２つ設けられている請求項３に記載の薬剤容器用ゴム栓。
【請求項５】
前記傾斜面は両側部を有し、前記容器内進入部は、前記傾斜面の前記両側部に設けられた下方に延びる脚部を有し、前記脚部は、少なくとも前記傾斜面の下端まで延びる前記外面部を有する請求項１ないし４のいずれかに記載の薬剤容器用ゴム栓。
【請求項６】
前記脚部は、前記傾斜面の下端より下方まで延びる前記外面部を有する請求項５に記載の薬剤容器用ゴム栓。
【請求項７】
前記脚部は、前記外面部の下端から下方に向かって縮径する下端縮径部を有する請求項６に記載の薬剤容器用ゴム栓。
【請求項８】
前記薬剤容器用ゴム栓は、前記傾斜面の上方もしくはその付近となる前記本体部の上面に設けられた傾斜面マーカーを備えている請求項１ないし７のいずれかに記載の薬剤容器用ゴム栓。
【請求項９】
前記傾斜面は、前記柱状空隙部を環状に取り囲みかつ下方に向かって拡径するテーパー状傾斜面である請求項１に記載の薬剤容器用ゴム栓。
【請求項１０】
前記薬剤容器用ゴム栓は、前記柱状空隙部の上方となる前記本体部の上面に設けられた柱状空隙部マーカーを備えている請求項１ないし９のいずれかに記載の薬剤容器用ゴム栓。
【請求項１１】
前記本体部は、円盤状である請求項１ないし１０のいずれかに記載の薬剤容器用ゴム栓。
【請求項１２】
前記薬剤容器と、前記薬剤容器に装着され、前記開口部を封止する請求項１ないし１１のいずれかに記載の薬剤容器用ゴム栓と、前記薬剤容器内に収納された薬剤とを備えることを特徴とする薬剤収納済薬剤容器。
【請求項１３】
前記薬剤収納済薬剤容器は、前記ゴム栓が装着された前記薬剤容器の前記開口部の周縁部および前記ゴム栓の周縁部を被覆する被覆部材を備えている請求項１２に記載の薬剤収納済薬剤容器。
【請求項１４】
請求項１２または１３の薬剤収納済薬剤容器と、前記薬剤収納済薬剤容器の前記ゴム栓に刺通可能な液体注入用針とからなる薬剤容器セットであって、前記液体注入用針は、閉塞した穿刺端と先端部側部に設けられた液体排出用の側孔を有していることを特徴とする薬剤容器セット。
【請求項１５】
前記液体注入用針は、向かい合うように２つの側孔を有している請求項１４に記載の薬剤容器セット。
【請求項１６】
前記液体注入用針は、前記液体注入用針の側面かつ前記側孔を通る前記液体注入用針の軸線上に設けられた側孔マーカーを備えている請求項１５に記載の薬剤容器セット。
【請求項１７】
前記薬剤容器セットは、前記液体注入針に接続可能かつ医療用液体が充填されたプレフィルドシリンジを備えている請求項１４ないし１６のいずれかに記載の薬剤容器セット。
【発明の詳細な説明】
【技術分野】
【０００１】
本発明は、薬剤容器用ゴム栓、それを用いた薬剤収納済薬剤容器、さらに、薬剤収納済薬剤容器を用いた薬剤容器セットに関するものである。
【背景技術】
【０００２】
従来より、ゴム栓により封止された容器内に薬剤が収納された状態の医療用容器が多く提供されている。そして、薬剤容器としては、いわゆるバイアル瓶が一般的である。そして、バイアル瓶に収納される薬剤としては、粉剤（例えば、凍結乾燥製剤、粉末製剤）、液剤などがある。そして、薬剤の投与時には、通常、バイアル瓶内に、溶解液もしくは希釈液などの医療用液体を注入することにより、投与用薬液が調製される。しかし、この医療用液体の注入時に、泡立ちが生じることがあった。特に、粉剤は、界面活性剤等、含む組成によって、泡立ちやすいものがあり、一度泡立ってしまうと泡が消えるまで投与を待たねばならなかった。【０００３】
近年、バイアル瓶への医療用液体の注入に、いわゆる注射針ではなく、人に穿刺できない樹脂製中空針が用いられるようになってきた。そして、樹脂製中空針は、閉塞した穿刺端と側孔を有するものが一般的である。このような側孔タイプの中空針を用いた場合でも、側孔から排出された医療用液体がそのまま下方に落下したり、ゴム栓に当たって下方に落下したりすることにより、泡立つことがあった。【０００４】
薬剤容器用ゴム栓としては、例えば、特開２００６−１１０３３３（特許文献１）に開示されているものがある。この医薬品用容器セットは、円筒状の薬液収容部（１）と薬液注入口部（２）とからなる容器と、該口部（２） を密封するためのゴム栓（３）との組み合わせからなる。ゴム栓（３）は、円盤状の天面部（９） と該天面部の下面（８）に設けられた略円筒状の脚部（１０）からなり、上記容器は、上記薬液収容部（１）と上記薬液注入口部（２）との内壁側の境界に、ゴム栓（３）の脚部（１０）の下端面（７）を密着させるための平坦面（４）が形成されてなり、且つ、上記薬液収容部（１）の薬液が収容される側の少なくとも側壁が角のない丸みを帯びた面で形成されており、更に、上記薬液注入口部（２）を上記ゴム栓（３）で密封した場合に、脚部（１０）の下端面（７）の内周縁（５）が、容器の平坦面（４）の内周縁（６）よりも容器の内部側に突出していない状態で、上記下端面（７）と上記平坦面（４） とが密着した状態となっている。【０００５】
また、特開２００５−１９２８８８（特許文献２）にも薬剤容器用ゴム栓が開示されている。
【先行技術文献】
【特許文献】
【０００６】
【特許文献１】特開２００６−１１０３３３（ＵＳＰ７９３４６１３、ＥＰ公開１６３４８１９）
【特許文献２】特開２００５−１９２８８８
【発明の概要】
【発明が解決しようとする課題】
【０００７】
特開２００６−１１０３３３のものでは、ゴム栓の内面と容器の内面との間に段差がないものとなっており、側孔を有する中空針を用いた場合において、側孔から排出された液体がゴム栓に当たった場合、ゴム栓の内側面から容器の内面に液体流が流れる可能性がある。しかし、この場合は、ゴム栓の内側面と容器の内面との間に段差を形成しないために、容器の首部に平坦面（４）を有する段差を設ける必要がある。【０００８】
このため、容器の成形が複雑になったり、ガラス製の容器の場合には、段差自体が上手く成形できなかったりする。また、特許文献１のゴム栓を首部に段差のない通常の薬剤容器に用いた場合、ゴム栓の先端は所定の厚さを有するため、仮に側孔から排出された液体がゴム栓に当たった場合でも、ゴム栓の先端より注入液体が、容器下部に落下し、これにより泡立ちが発生する可能性が高い。これは、特許文献２のものにおいても同様である。【０００９】
本発明の目的は、首部に段差のない通常の薬剤容器および側孔を有する中空針を用いた場合において、注入された液体が、直接容器内に落下することなく、容器の内面を伝って下方に流下することが可能な薬剤容器用ゴム栓、それを用いた薬剤収納済薬剤容器および薬剤容器セットを提供するものである。
【課題を解決するための手段】
【００１０】
上記目的を達成するものは、以下のものである。
下端が閉塞し、内部に薬剤を収納する筒状の胴部と、前記胴部の上端から上方に延び、上端に開口部が形成された筒状の首部とを有し、前記首部の内径が前記胴部の内径より小径であり、かつ、ほぼ一定である薬剤容器に装着される薬剤容器用ゴム栓であって、前記薬剤容器用ゴム栓は、本体部と、前記本体部の下面より、下方に延び、前記薬剤容器の前記首部に嵌入可能な筒状の容器内進入部とを備え、前記本体部は、前記容器内進入部よりも径方向外側に配置され、前記薬剤容器への装着時において、前記開口部の上面と当接する周縁部を有し、前記容器内進入部は、前記薬剤容器への装着時において、前記薬剤容器の前記首部の内面に接触する外面部と、前記本体部の前記下面の中央部から下方に向かってほぼ同一形状にて延びる柱状空隙部を形成する上部内面部と、前記上部内面部の下端より前記容器内進入部の外面部方向かつ斜め下方に延びる傾斜面とを有し、上記外面部の少なくとも上端部は、前記首部の内面と環状かつ液密に接触しており、前記傾斜面の下端は、前記容器内進入部の外面部に到達もしくは近接している薬剤容器用ゴム栓。【００１１】
また、上記目的を達成するものは、以下のものである。
前記薬剤容器と、前記薬剤容器に装着され、前記開口部を封止する上記の薬剤容器用ゴム栓と、前記薬剤容器内に収納された薬剤とを備える薬剤収納済薬剤容器。【００１２】
また、上記目的を達成するものは、以下のものである。
上記の薬剤収納済薬剤容器と、前記薬剤収納済薬剤容器の前記ゴム栓に刺通可能な液体注入用針とからなる薬剤容器セットであって、前記液体注入用針は、閉塞した穿刺端と先端部側部に設けられた液体排出用の側孔を有している薬剤容器セット。
【図面の簡単な説明】
【００１３】
【図１】図１は、本発明の実施例である薬剤容器用ゴム栓の正面図である。
【図２】図２は、図１に示した薬剤容器用ゴム栓の平面図である。
【図３】図３は、図１に示した薬剤容器用ゴム栓の底面図である。
【図４】図４は、図１に示した薬剤容器用ゴム栓の右側面図である。
【図５】図５は、図１のＡ−Ａ線断面図である。
【図６】図６は、図２のＢ−Ｂ線断面図である。
【図７】図７は、図１に示した薬剤容器用ゴム栓の斜め下方から見た斜視図である。
【図８】図８は、図１に示した薬剤容器用ゴム栓の斜め上方から見た斜視図である。
【図９】図９は、本発明の他の実施例の薬剤容器用ゴム栓の正面図である。
【図１０】図１０は、図９に示した薬剤容器用ゴム栓の平面図である。
【図１１】図１１は、図９に示した薬剤容器用ゴム栓の底面図である。
【図１２】図１２は、図９のＣ−Ｃ線断面図である。
【図１３】図１３は、本発明の実施例である薬剤収納済薬剤容器の正面図である。
【図１４】図１４は、図１３に示した薬剤収納済薬剤容器の平面図である。
【図１５】図１５は、図１３のＤ−Ｄ線断面図である。
【図１６】図１６は、図１４のＥ−Ｅ線断面図である。
【図１７】図１７は、本発明の薬剤収納済薬剤容器の製造過程を説明するための説明図である。
【図１８】図１８は、本発明の薬剤収納済薬剤容器の製造過程を説明するための説明図である。
【図１９】図１９は、本発明の実施例である薬剤容器セットの正面図である。
【図２０】図２０は、図１９に示す薬剤容器セットに使用される液体注入用針の正面図である。
【図２１】図２１は、図２０のＦ−Ｆ線断面図である。
【図２２】図２２は、本発明の他の実施例の薬剤容器セットの正面図である。
【図２３】図２３は、本発明の薬剤容器用ゴム栓および薬剤収納済薬剤容器の作用を説明するための説明図である。
【発明を実施するための形態】
【００１４】
本発明の薬剤容器用ゴム栓について、図面に示した実施例を用いて説明する。
本発明の薬剤容器用ゴム栓１は、下端が閉塞し、内部に薬剤を収納する筒状の胴部２１と、胴部２１の上端から上方に延び、上端に開口部が形成された筒状の首部２３とを有し、首部２３の内径が胴部２１の内径より小径であり、かつ、ほぼ一定である薬剤容器２に装着されるものである。
そして、薬剤容器用ゴム栓１は、本体部３と、本体部３の下面より、下方に延び、薬剤容器２の首部２３に嵌入可能な筒状の容器内進入部４とを備える。
そして、本体部３は、容器内進入部４よりも径方向外側に配置され、薬剤容器２への装着時において、開口部の上面と当接する周縁部を有する。
【００１５】
容器内進入部４は、薬剤容器２への装着時において、薬剤容器２の首部２３の内面に接触する外面部４０と、本体部３の下面の中央部から下方に向かってほぼ同一形状にて延びる柱状空隙部４５を形成する上部内面部と、上部内面部の下端より容器内進入部４の外面部４０方向かつ斜め下方に延びる傾斜面６１，６２とを有し、上記外面部４０の少なくとも上端部４８は、首部の内面と環状かつ液密に接触しており、傾斜面６１，６２の下端は、容器内進入部４の外面部４０に到達もしくは近接している。
【００１６】
薬剤容器用ゴム栓１は、図１ないし図８に示すように、円盤状の本体部３と、本体部３の下面の中心より、本体部の外径より小さい外径にて、下方に延びる容器内進入部４とを備える。
この実施例では、本体部３は、所定の厚さを有する円盤状のものとなっている。そして、本体部３の下面周縁部３０は、後述する薬剤容器２の開口部２２の上面に接触する環状接触部を構成している。本体部３は、円盤状であることが好ましい。しかし、本体部３は、容器内進入部４よりも径方向外側に配置され、薬剤容器２への装着時において、開口部の上面と当接する周縁部を有する形状であれば、円盤状でなくてもよい。例えば、本体部３は、容器内進入部４よりも径方向外側に配置された周縁部を有する多角形の板状でもよい。なお、この周縁部の下面が、下面周縁部３０を構成する。
【００１７】
容器内進入部４は、円弧状外面もしくは円柱状外面を有し、ほぼ同一外面形態にて下方に延びるものとなっている。そして、容器内進入部４の下部（後述する脚部）は、上部および中央部に比べて、外縁から形成可能な仮想円の直径が小さいものとなっており、薬剤容器への挿入を容易なものとしている。特に、この実施例のゴム栓１では、容器内進入部４の直径（もしくは外縁から形成可能な仮想円の直径）は、上端から下端に向かって、徐々に小さくなっている。なお、容器内進入部４の上部は、直径（もしくは外縁から形成可能な仮想円の直径）が実質的に変化せず、同一径にて延びるものであってもよい。
【００１８】
容器内進入部４の外面部４０は、薬剤容器２の開口部２２の内周面と接触し、液密状態を形成する。なお、容器内進入部４の上部は、薬剤容器２の開口部２２の内周面により強く圧縮される。そして、外面部４０の少なくとも上端部４８は、薬剤容器２の首部２３の内面と環状かつ液密に接触するものとなっている。よって、外面部４０の上端部４８は、ほぼ同一外径にて延びる円柱状のものとなっている。なお、内径もほぼ同一内径にて延びるものが好ましい。そして、上端部４８の軸方向長は、１．０〜４．０ｍｍであることが好ましく、特に、２．０〜３．０ｍｍが好ましい。
【００１９】
ゴム栓１の構成材料としては、弾性材料であることが好ましい。弾性材料としては、特に限定されないが、例えば、天然ゴム、イソプレンゴム、ブチルゴム、クロロプレンゴム、ニトリル−ブタジエンゴム、スチレン−ブタジエンゴム、シリコーンゴム等の各種ゴム材料（特に、加硫処理したもの）が挙げられる。特に、弾性特性を有し、γ線滅菌、電子線滅菌、高圧蒸気滅菌が可能などの観点からジエン系ゴムが好ましい。
【００２０】
この実施例の薬剤容器用ゴム栓１では、容器内進入部４は、向かい合う２本の柱状部４１，４２と、２つの柱状部４１，４２間に位置し、容器内進入部４の中央上部（中心）から下方に向かってほぼ同一形状にて延びる柱状空隙部４５を備えている。柱状空隙部４５は、図示する実施例のように、同じ形状かつ大ききにて延びるものが好ましいが、下方に向かって若干大きくなるものであってもよい。
そして、各柱状部４１，４２には、柱状空隙部４５の一部を始端（上端）として、容器内進入部４の外面部４０方向かつ斜め下方に、所定幅にて延びる傾斜面６１，６２が設けられている。傾斜面６１，６２は、図６に示すように、柱状空隙部４５の中心軸Ｘに対して向かい合うように２つ設けられている。そして、傾斜面６１，６２の下端は、容器内進入部４の外面部４０に到達もしくは近接している。この実施例では、図６に示すように、傾斜面６１，６２の下端と外面部４０との接合部は、一体化するとともに、接合部は、面取りされ丸みを帯びた形状となっている。
【００２１】
図６に示すように、傾斜面６１，６２の上端は、容器内進入部４（柱状部４１，４２）の内側上端より、所定長下方に位置している。このため、柱状空隙部４５は、傾斜面６１，６２の上端に到達するまでは、柱状形状を維持している。そして、容器内進入部４（柱状部４１，４２）は、傾斜面６１，６２の上端より上方に延びる向かい合う内面部６３，６４を有している。言い換えれば、容器内進入部４（柱状部４１，４２）の内側上端と傾斜面６１，６２の上端間には、向かい合う内面部６３，６４が形成されている。この実施例の薬剤容器用ゴム栓１では、図３に示すように、内面部６３，６４は、平板状の内壁となっている。なお、内面部６３，６４は、円弧状のものであってもよい。
【００２２】
そして、図６に示すように、内面部６３、６４によって形成される柱状空隙部４５の上端から下端までの軸方向長（Ｌ）、言い換えれば、容器内進入部４（柱状部４１，４２）の内側上端（下面）と傾斜面６１，６２の上端間の距離は、１〜８ｍｍであることが好ましく、特に、３〜５ｍｍが好ましい。
また、向かい合う内面部６３，６４間の距離（Ｗ）、言い換えれば、柱状空隙部４５の幅は、１．６〜７ｍｍであることが好ましく、特に、２．０〜５．５ｍｍが好ましい。
【００２３】
また、この実施例の薬剤容器用ゴム栓１では、図３に示すように、傾斜面６１，６２は、上端（始端）から下端（終端）まで、ほぼ同じ幅にて延びるものとなっている。なお、傾斜面６１，６２は、下端（終端）に向かって幅が狭くなるものであってもよく、さらには、幅が広くなるものであってもよい。傾斜面６１，６２の上端の幅は、１．８〜５ｍｍであることが好ましく、特に、２．５〜４．０ｍｍが好ましい。さらに、傾斜面６１，６２の下端は、薬剤容器２への装着時において、薬剤容器２の首部２３の下端を越えないことが好ましい。
特に、傾斜面６１，６２の下端は、薬剤容器２への装着時において、薬剤容器２の首部２３の下端より、０．５ｍｍ以上上部に位置するものであることが好ましい。また、傾斜面６１，６２の傾斜角度（容器内進入部４の中心軸に対する傾斜角度）は、３０〜６０度であることが好ましく、特に、３５〜４５度であることが好ましい。また、傾斜面６１，６２の幅は、１．５〜８．０ｍｍであることが好ましく、特に、２．０〜６．０ｍｍが好ましい。
【００２４】
また、この実施例の薬剤容器用ゴム栓１では、図１ないし図８に示すように、容器内進入部４は、傾斜面６１，６２の両側部に設けられた下方に延びる脚部５１，５２，５３，５４を有している。具体的には、柱状部４１、４２の中央部に、傾斜面６１、６２が設けられており、傾斜面６１、６２の下方は、切欠部４６、４７が形成されている。そして、柱状部４１は、切欠部４６の側部に、脚部５１，５４を有し、柱状部４２は、切欠部４７の側部に、脚部５２，５３を有している。このような脚部５１，５２，５３，５４を有することにより、容器内進入部４は、十分な軸方向長を有するため、薬剤容器２に良好に装着され、かつ、装着作業も容易である。
【００２５】
そして、この実施例の薬剤容器用ゴム栓１では、図１ないし図８に示すように、傾斜面６１，６２はそれぞれ、両側部を有し、容器内進入部４は、傾斜面６１，６２の両側部に、傾斜面６１，６２をそれぞれ挟むように設けられた下方に延びる上述の脚部５１，５２，５３，５４を有し、さらに、脚部５１，５２，５３，５４は、少なくとも傾斜面６１，６２の下端まで延びる外面部４０を有している。これにより、ゴム栓１の薬剤容器２への装着時において、ゴム栓の傾斜面の下端が、薬剤容器２の開口部に引っ掛かることなく挿入できる。
【００２６】
さらに、この実施例の薬剤容器用ゴム栓１では、図１ないし図８に示すように、脚部５１，５２，５３，５４は、傾斜面６１，６２の下端を越えて、さらに下方に延びる外面部４０を有するものとなっている。これにより、ゴム栓の薬剤容器への装着が、より容易なものとなっている。
【００２７】
また、この実施例の薬剤容器用ゴム栓１では、図１ないし図８に示すように、脚部５１，５２，５３，５４は、外面部４０の下端から下方に向かって縮径する下端縮径部を有している。これにより、ゴム栓の薬剤容器への挿入が、より容易なものとなっている。
【００２８】
容器内進入部４の脚部５１，５２，５３，５４の上端から下端までの軸方向長は、５〜１０ｍｍであることが好ましく、特に、６〜８ｍｍが好ましい。また、容器内進入部４の傾斜面６１，６２の上端から下端までの軸方向長（Ｈ）は、２〜６ｍｍであることが好ましく、特に、３〜５ｍｍが好ましい。傾斜面６１，６２の下端から脚部５１，５２，５３，５４の下端までの軸方向長は、１〜５ｍｍであることが好ましく、特に、２〜４ｍｍが好ましい。
【００２９】
また、この実施例の薬剤容器用ゴム栓１では、図１ないし図８に示すように、容器内進入部４は、柱状空隙部４５と連通する向かい合う２つの側部空隙部４３，４４を備えている。具体的には、２つの柱状部４１，４２は、離間しており、両者間に側部空隙部４３，４４が形成されている。この実施例のゴム栓では、側部空隙部４３，４４は、容器内進入部４の上端から下端まで延びている。同様に、柱状空隙部４５も容器内進入部４の上端から下端まで延びている。そして、側部空隙部４３，４４は、その上部にて、上述した柱状空隙部４５と連通している。
【００３０】
言い換えれば、側部空隙部４３，４４と柱状空隙部４５は、上部にて一体化している。側部空隙部４３，４４の幅は、上述した向かい合う内面部６３，６４間の距離（Ｗ）と同じである。なお、側部空隙部４３，４４は、その中央部および下部において、幅が広くなるものであってもよく、また、幅が狭くなるものであってもよい。このような柱状空隙部４５とそれと連通する側部空隙部４３，４４を設けることにより、図１７のように、ゴム栓１を薬剤容器に仮装着した状態において、容器内部と外部とをゴム栓内の空隙部を介して連通させることができる。
【００３１】
また、４つの脚部５１，５２，５３，５４は、上述したように所定長下方に延びるものとなっており、その下端に、扇状の底面部５１ａ，５２ａ，５３ａ，５４ａを有している。脚部５１，５２，５３，５４は、扇状柱状部となっている。
なお、２つの側部空隙部は、容器内進入部４の下端まで延びず、中央部下部付近にて終端するものであってもよい。この場合、第１の脚部と第２の脚部とが連結部により連結され、第３の脚部と第４の脚部とが連結部により連結されたものとなる。そして、連結部は、脚部と同様に、ゴム栓を薬剤容器に装着する際の誘導部として機能する。この実施例のゴム栓では、容器内進入部は、下面に三日月状の底面部を有するものとなる。
【００３２】
そして、この実施例の薬剤容器用ゴム栓１は、傾斜面６１，６２の上方もしくはその付近となる本体部３の上面部位に設けられた傾斜面マーカー３１、３２を備えている。具体的には、図１および図６に示すように、傾斜面６１の真上かつ若干本体部３の中心よりとなる位置に、第１の傾斜面マーカー３１が形成されている。同様に、傾斜面６２の真上かつ若干本体部３の中心よりとなる位置に、第２の傾斜面マーカー３２が形成されている。この傾斜面マーカー３１、３２に、液体注入用針の側孔位置が一致するように、液体注入用針を穿刺することにより、側孔を、傾斜面６１，６２の上部の内面部（内壁面）６３，６４に位置させることができる。
【００３３】
なおこの実施例では、マーカー３１，３２は、一つの頂点が、本体部３の中心方向を向いた三角形状の突出部により形成されている。なお、マーカーは、凹部、印刷によるものなどであってもよく、形状も矢印などであってもよい。さらに、この実施例の薬剤容器用ゴム栓１は、柱状空隙部４５の上方となる本体部３の上面部位に設けられた柱状空隙部マーカー３３を備えている。柱状空隙部マーカー３３は、円形凹部により形成されている。柱状空隙部マーカー３３は、突出部であってもよく、形状も、リング状、多角形状などであってもよい。
【００３４】
そして、本発明の薬剤容器用ゴム栓は、上述したものに限定されるものではない。例えば、容器内進入部４の柱状部４１、４２として、傾斜面６１、６２の下方に、上述したような切欠部４６、４７を備えず、傾斜面６１、６２の下端が、容器内進入部４の柱状部４１、４２の下端まで延びるものであってもよい。
また、上述した実施例のような２つの側部空隙部４３，４４を有するのではなく、１つのみの側部空隙部を有するものであってもよい。そして、側部空隙部ではなくなる部位には、傾斜面、その上方に位置する内壁面を設けることが好ましい。
【００３５】
次に、図９ないし図１２に示す実施例の薬剤容器用ゴム栓２０について説明する。
この実施例の薬剤容器用ゴム栓２０は、本体部３と、本体部３の下面より、下方に延び、薬剤容器２の開口部に嵌入可能な柱状の容器内進入部４ａとを備える。容器内進入部４ａは、薬剤容器２への装着時において、薬剤容器２の開口部の内面に接触する外面部４０と、容器内進入部４ａの中央上部から下方に向かってほぼ同一形状にて延びる柱状空隙部７３と、柱状空隙部７３より、容器内進入部４ａの外面部４０方向かつ斜め下方に延びる傾斜面７４と、傾斜面７４の上端より上方に延びる内面部７５とを有している。傾斜面７４の下端は、容器内進入部４ａの外面部４０に到達もしくは近接している。そして、この実施例のゴム栓２０では、傾斜面は、柱状空隙部７３を環状に取り囲みかつ下方に向かって拡径するテーパー状傾斜面７４となっている。
【００３６】
本体部３は、所定の厚さを有する円盤状のものとなっている。そして、本体部３の下面周縁部３０は、後述する薬剤容器２の開口部２２の上面に接触する環状接触部を構成している。本体部３は、円盤状であることが好ましい。しかし、本体部３は、容器内進入部４ａよりも径方向外側に配置され、薬剤容器２への装着時において、開口部２２の上面と当接する周縁部を有する形状であれば、円盤状でなくてもよい。例えば、本体部３は、容器内進入部４ａよりも径方向外側に配置された周縁部を有する多角形の板状でもよい。なお、この周縁部の下面が、下面周縁部を構成する。
容器内進入部４ａの外面部４０は、薬剤容器２の開口部２２の内周面と接触し、液密状態を形成する。なお、容器内進入部４の上部は、薬剤容器２の開口部２２の内周面により強く圧縮される。ゴム栓２０の構成材料としては、上述したものが使用される。
【００３７】
容器内進入部４ａは、本体部３の下面より下方に延び、かつ本体部３より小径の上部柱状部７１と、上部柱状部７１より下方に延び、内面が下端に向かって拡径するテーパー状傾斜面７４を有する下部柱状部７２とを有する。
上部柱状部７１は、ほぼ円柱状に形成されており、内部に柱状空隙部７３を有している。そして、この柱状空隙部７３により、傾斜面７４の上端より上方に延びる内面部７５が形成されている。この実施例では、柱状空隙部７３は、円柱状のものとなっている。このため、内面部７５も円筒状のものとなっている。なお、柱状空隙部７３は、角柱状、楕円柱状などであってもよい。また、柱状空隙部は、同じ形状にて延びるものが好ましいが、下方に向かって若干大きくなるものであってもよい。
【００３８】
上部柱状部７１の内面部７５の軸方向長（高さ）、言い換えれば、柱状空隙部７３の上端から下端までの軸方向長は、１〜８ｍｍであることが好ましく、特に、３〜５ｍｍが好ましい。柱状空隙部７３の内径は、１．６〜７ｍｍであることが好ましく、特に、２．０〜５．５ｍｍが好ましい。
【００３９】
下部柱状部７２は、内部に、柱状空隙部７３の下端より、下方に延び、かつ、下端に向かって拡径するテーパー状傾斜面７４を備えている。そして、テーパー状傾斜面７４の下端は、容器内進入部４ａの外面部４０に到達もしくは近接している。この実施例では、図１２に示すように、傾斜面７４の下端と外面部４０との接合部は、一体化するとともに、接合部は、面取りされ丸みを帯びた形状となっている。また、下部柱状部７２は、下方に向かって僅かに縮径することが好ましい。
【００４０】
下部柱状部７２の軸方向長（高さ）、言い換えれば、テーパー状傾斜面７４の上端から下端までの軸方向長は、３〜８ｍｍであることが好ましく、特に、４〜６  ｍｍが好ましい。傾斜面７４の傾斜角度（容器内進入部４の中心軸に対する傾斜角度）は、３０〜５０度であることが好ましく、特に、３５〜４５度であることが好ましい。
【００４１】
次に、図１３ないし図１６に示す本発明の薬剤収納済薬剤容器１０について説明する。
本発明の薬剤収納済薬剤容器１０は、開口部を有する薬剤容器２と、薬剤容器２の開口部２２に装着され、開口部２２を封止する上述の薬剤容器用ゴム栓１と、薬剤容器２内に収納された薬剤１１とを備える。
【００４２】
薬剤容器２は、下端が閉塞し、内部に薬剤を収納する筒状の胴部２１と、胴部２１の上端から上方に延び、上端に開口部が形成された筒状の首部２３とを有し、首部２３の内径が胴部２１の内径より小径なものとなっている。また、薬剤容器２は、開口部を有し、内部２４に薬剤１１を収納可能なものとなっている。薬剤容器としては、硬質もしくは半硬質合成樹脂製容器、ガラス容器などが使用される。薬剤容器２は、下端が閉塞した円筒状の本体部（胴部）２１と、肉厚のフランジを有する開口部２２と、開口部２２と本体部（胴部）２１間に形成された他の部位より小計の首部２３を備えている。そして、薬剤容器２の開口部２２から首部２３は同一内径にて延びるゴム栓１の容器内進入部４を収納する収納部となっている。また、首部２３の上部内面とゴム栓１の外面部４０の上端部４８は、環状かつ液密に接触している。
【００４３】
ゴム栓１としては、上述したすべての実施例のゴム栓を用いることができる。
薬剤１１としては、特に制限されるものではないが、例えば、白金系抗癌剤、インスリン等のタンパク質製剤、ニトログリセリン、硝酸イソソルビド、塩酸ニカルジピン、グリチルリチン酸モノアンモニウム、タンパク製剤、抗腫瘍剤、ビタミン剤（総合ビタミン剤）、各種アミノ酸、ヘパリンのような抗血栓剤、抗生物質、鎮痛剤、強心剤、静注麻酔剤、抗パーキンソン剤、潰瘍治療剤、副腎皮質ホルモン剤、不整脈用剤等が挙げられる。
【００４４】
また、薬剤の剤型も特に限定されるものではなく、液状薬剤、粉末状薬剤、凍結乾燥薬剤、固形状薬剤などどのようなものであってもよい。そして、薬剤１１として、液体により溶解または希釈される薬剤で、溶解または希釈時に泡立ち易い薬剤を用いる場合に、本発明のゴム栓は、有効である。そのような薬剤としては、例えば、ホルモン製剤、抗体製剤、抗腫瘍剤などがある。
【００４５】
また、この実施例の薬剤収納済薬剤容器１０は、ゴム栓１が装着された薬剤容器２の開口部２２の周縁部およびゴム栓１の周縁部を被覆する被覆部材６を備えている。被覆部材６としては、アルミ、熱収縮性フィルムなどにより形成され、ゴム栓、薬剤容器本体に密着していることが好ましい。この実施例の薬剤収納済薬剤容器１０では、被覆部材６は、傾斜面マーカー３１、３２、柱状空隙部マーカー３３を露出させるための開口部を備えている。なお、被覆部材６としては、傾斜面マーカー３１、３２の確認および液体注入用等の穿刺針が穿刺可能なものであれば、ゴム栓１の上面全体を覆うものであってもよい。なお、この実施例の薬剤収納済薬剤容器１０では、被覆部材６は、環状部と、薄いドーナツ盤状の上面部を備え、環状部の下端部は、薬剤容器２の本体部（胴部）２１の開口部２２の環状下面を被覆している。また、薬剤容器１０としては、内部が減圧されているものであってもよい。
【００４６】
また、本発明の薬剤収納済薬剤容器１０では、内部に容易に凍結乾燥薬剤を収納させることが可能である。具体的には、図１７に示すように、薬剤容器２内に薬剤溶液１１ａを注入した後、薬剤容器２の内部２４と外部が、ゴム栓１の側部空隙部４３，４４および柱状空隙部４５を介して連通するように、ゴム栓１を薬剤容器２に仮装着する。
【００４７】
具体的には、ゴム栓１を上方より、薬剤容器２に挿入し、脚部５１，５２，５３，５４および傾斜面６１，６２が形成された部分が薬剤容器に収納され、容器内進入部４（柱状部４１，４２）の上部および側部空隙部４３，４４の上部が、薬剤容器より露出する状態とする。この状態において、凍結乾燥機に入れ、凍結乾燥させることにより、図１８に示すように、薬剤溶液１１ａは、凍結乾燥剤１１となる。そして、ゴム栓１を押込むことにより、首部２３の上部内面とゴム栓１の外面部４０の上端部４８間が、環状かつ液密に密着し、薬剤容器２の開口部２２はゴム栓１により封止される。さらに、ゴム栓１と薬剤容器２の開口部を被覆部材６により、被包することにより、薬剤収納済薬剤容器１０が作成される。
【００４８】
次に、図１９ないし図２１に示す本発明の薬剤容器セット３０について説明する。
本発明の薬剤容器セット３０は、上述した本発明の薬剤収納済薬剤容器１０と、薬剤収納済薬剤容器１０のゴム栓１に刺通可能な液体注入用針８とからなる。
液体注入用針８としては、閉塞した穿刺端８２ａと先端部側部に設けられた液体排出用の側孔８７ａ，８７ｂを有するものが用いられている。
【００４９】
この実施例の液体注入用針８は、先端に穿刺部８２を有し、基端に医療用具のルアーテーパーノズルと装着可能なハブ部８５を備える。そして、穿刺部８２は、先端に向かって、テーパー状に縮径し、先端は閉塞するとともに、中実の穿刺端８２ａを有する。液体注入用針８は、穿刺部８２と連続し、かつ基端側に延びる中空部８３を備える。中空部８３は、ハブ部８５内と連通する内腔８０と、内腔８０と外部とを連通する側孔８７ａ，８７ｂとを有している。
【００５０】
図２０および図２１に示すように、この実施例の液体注入用針８は、中空部８３より大径かつ所定長を有するハブ部８５と、ハブ部８５と中空部８３間に設けられた短いテーパー部８６とを備える。中空部８３は、穿刺部８２の基端から、所定長延び、内部に内腔８０を備えている。また、この実施例では、中空部８３は、テーパー部８６の先端まで延びている。中空部８３の先端部には、液体注入用針８の内部、言い換えれば、内腔８０と外部とを連通する側孔８７ａ，８７ｂを備えている。また、穿刺部８２は、先端に向かってテーパー状に縮径し、先端に穿刺端８２ａを備えている。そして、穿刺部８２は、薬剤収納済薬剤容器１０のゴム栓１に穿刺により、接続可能なものとなっている。
【００５１】
具体的には、この実施例の液体注入用針８は、図２０および図２１に示すように、先端側から中実なテーパー状の穿刺部８２、中空部８３、テーパー部８６，ハブ部８５を備えている。また、この実施例の液体注入用針８では、内腔８０の先端部は、先端に向かって縮径するとともに、穿刺部８２に到達することなく終端している。側孔８７ａ，８７ｂは、内腔８０の先端部にて、内腔８０と連通するように設けられている。穿刺部８２は、先端に穿刺端８２ａを有し、基端側に向かって鋭角のテーパー角（テーパー拡がり角）にて拡径する中実なものとなっている。
【００５２】
そして、この実施例の液体注入用針８では、テーパー部８６の先端（中空部８３の基端）から、側孔８７ａ，８７ｂの先端までの長さは、ゴム栓１の柱状空隙部４５の上部の本体部３の厚さより長く、かつ、上記本体部の厚さと柱状空隙部４５により形成される内面部６３，６４の軸方向長の和（言い換えれば、本外部３の上面から内壁６３，６４の下端間距離）より短いものとなっている。
【００５３】
この実施例の液体注入用針８では、中空部８３の基端（テーパー部８６の先端）まで、ゴム栓に刺入した状態において、側孔８７ａ，８７ｂが、柱状空隙部４５により形成される内面部６３，６４の形成部に位置するものとなる。さらに、側孔８７ａ，８７ｂは、内面部６３，６４と向かい合うものとなる。このため、側孔８７ａ，８７ｂより吐出された液体は、内面部６３，６４に確実に接触する。そして、この実施例の液体注入用針８では、側孔は、向かい合うように２つ設けられている。なお、側孔は、一つのみであってもよい。
【００５４】
また、向かい合う内面部６３，６４間の距離（Ｗ）と液体注入用針８の側孔８７ａ，８７ｂ部位における外径との差は、０．１〜３．６ｍｍであることが好ましく、特に、１．０〜２．５ｍｍが好ましい。これにより、側孔８７ａ，８７ｂより吐出される液体を、より確実に内面部６３，６４に接触させることができる。
【００５５】
液体注入用針８は、ゴム栓への刺入長を規制するストッパーを有することが好ましい。この実施例の液体注入用針８では、中空部８３の基端とハブ部８５の先端とを繋ぐテーパー部８６は、中空部８３に続いて、急激に拡径しており、ゴム栓１への刺入が実質的に不能なものとなっている。言い換えれば。テーパー部８６は、刺入時のストッパーとして機能するものとなっている。
【００５６】
ハブ部８５は、テーパーに８６の基端より後方に延びる筒状部であり、医療用具のルアーテーパーノズルに装着可能な内面形態を備えている。具体的には、ハブ部８５の内部は、６％テーパーを備え、６％テーパーを有する通常規格の医療用雌型接続部（例えば、注射器のノズル部）の接続を可能なものとしている。通常規格の医療用雌型接続部とは、ISO594-1:1986にある「注射筒、注射針や他の医療用具の６％（約３．４３°）テーパーとの接合部の合致−パート１：一般的要求事項」を示すものである。ハブ部８５の基端部の外面に、対向するように設けられた２つのリブ８８ａ，８８ｂが設けられている。このリブ８８ａ，８８ｂは、他の医療用具の螺合部と螺合する際の被螺合部として用いることができる。
【００５７】
さらに、この実施例の液体注入用針８では、液体注入用針８の側面かつ側孔８７ａ，８７ｂを通る液体注入用針の軸線上に設けられた側孔マーカー８１を備えている。具体的には、ハブ部８５の先端寄りの外面に設けられた軸方向に延びる側孔マーカー８１が設けられており、このマーカー８１の延長線上前方に側孔８７ａ，８７ｂが位置している。また、この実施例の液体注入用針８では、側孔８７ａ，８７ｂの前方にも前方側側孔マーカー８４が設けられている。そして、この実施例の液体注入用針８では、ハブ部８５の外面には、軸方向に延びる突出部８９が設けられている。この突出部８９は、液体注入用針８の把持部として用いることができ、ハブ部８５の他の医療用具と螺合を容易としている。
【００５８】
液体注入用針８の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状オレフィン系樹脂、ポリエーテルエーテルケトン、ポリブチレンテレフタレート、ポリアセタール、変性ポリフェニレンエーテル、ポリエステル系樹脂、フッ素系樹脂、ポリスルホン、ポリエーテルイミド、ポリエーテルスルホン、ポリエーテルケトン、ポリエーテルラクトン、液晶ポリエステル等の熱可塑性樹脂、あるいはエポキシ樹脂、不飽和ポリエステル樹脂、フェノール樹脂、ユリア樹脂、メラミン樹脂、ポリウレタン樹脂の熱硬化性樹脂などが使用できる。
【００５９】
次に、図２２に示す本発明の薬剤容器セット５０について説明する。
本発明の薬剤容器セット５０は、上述した本発明の薬剤収納済薬剤容器１０と、薬剤収納済薬剤容器１０のゴム栓１に刺通可能な液体注入用針８と、プレフィルドシリンジ９とからなる。上述した薬剤容器セット３０に、プレフィルドシリンジ９を付加したものである。
【００６０】
薬剤収納済薬剤容器１０および液体注入用針８は、上述した通りである。
プレフィルドシリンジ９としては、公知のものが使用される。この実施例にて用いるプレフィルドシリンジ９は、筒状の外筒本体部と、外筒本体部の先端部に設けられ、先端開口を有するルアーテーパーノズル９１とを有する外筒９０と、外筒９０内に摺動可能に収納されたガスケット９４と、外筒９０内に充填された医療用液体９７と、先端開口を封止する封止部材９３と、ガスケット９４の基端に取り付けられたもしくは取付可能な押子９２を備えている。
【００６１】
プレフィルドシリンジ９内に充填される医療用液体９７としては、薬剤容器内の薬剤の溶解又は希釈が可能な薬液、例えば、注射用水、生理食塩水、ブドウ糖水溶液などが好適である。なお、薬剤（例えば、ビタミン剤、ミネラル類、シクロスポリン、ベンゾジアゼピン系薬剤、塩化ナトリウム注射液、抗生物質、タンパク製剤）を含有するとともに、薬剤の希釈もしくは溶解が可能なものであってもよい。
【００６２】
プレフィルドシリンジ９は、外筒９０の先端開口を封止するために、ルアーテーパーノズル９１に装着された封止部材９３（具体的には、取り外し可能なキャップ）を備えている。封止部材としては剥離可能なフィルム状のものであってもよい。
【００６３】
外筒９０は、透明もしくは半透明材料により、必要に応じて、酸素透過性、水蒸気透過性の少ない材料により形成された筒状体である。外筒９０は、本体部と、上述したルアーテーパーノズル９１と、ルアーテーパーノズル９１を被包し、内面に雌ねじ部を有するカラー９５と、後端部に設けられたフランジ９６を備える。ルアーテーパーノズル９１は、通常規格の医療用雌型接続部となっている。通常規格の医療用雌型接続部とは、ISO594-1:1986にある「注射筒、注射針や他の医療用具の６％（約３．４３°）テーパーとの接合部の合致−パート１：一般的要求事項」を示すものである。
【００６４】
ガスケット９４は、図２２に示すようにほぼ同一外径にて延びる本体部と、この本体部に設けられた複数の環状リブ（この実施例では２つ）を備え、外筒９０の内面に液密に接触しながら、摺動する。そして、ガスケット９４には、その後端部に、押子９２が接続されている。押子９２は、使用時に取り付けるものであってもよい。押子９２は、後端に押圧部９８を備えている。
【００６５】
次に、本発明の薬剤容器用ゴム栓、薬剤収納済薬剤容器および薬剤容器セットの作用を図２３を用いて説明する。
図２３に示すように、液体注入用針８を内部に医療用液体９７が充填されたシリンジ９のルアーテーパーノズル９１にハブ部８５を用いて装着する。シリンジ９が接続された液体注入用針８を図２３に示すように、薬剤収納済薬剤容器１０のゴム栓１に穿刺する。穿刺時には、液体注入用針８の側孔マーカー８４が、ゴム栓１の本体部３の上面に形成されている傾斜面マーカー３１，３２に一致することを確認しながら行う。このように、シリンジ９が接続された液体注入用針８を穿刺することにより、図２３に示すように、液体注入用針８の側孔８７ａ，８７ｂが、柱状空隙部４５内に位置するともに、傾斜面６１，６２の上部に位置する内面部６３，６４と向かい合うものとなる。
【００６６】
そして、この状態において、押子９２を押し込むことにより、プレフィルドシリンジ９内の液体９７は、図２３中に太線７５，７６で示すように、側孔８７ａ，８７ｂから、ゴム栓１の内面部６３，６４方向に流出し、内面部６３，６４に接触した後、傾斜面６１，６２を伝って下方に流れ、さらに、傾斜面６１，６２より薬剤容器２の首部の下部内面を伝い、さらに下方に流下するものとなる。このため、液体注入用針８より吐出する液体の流下に起因する泡立ちの発生が少ない。
【産業上の利用可能性】
【００６７】
本発明の薬剤容器用ゴム栓は、以下のものである。
（１）  下端が閉塞し、内部に薬剤を収納する筒状の胴部と、前記胴部の上端から上方に延び、上端に開口部が形成された筒状の首部とを有し、前記首部の内径が前記胴部の内径より小径であり、かつ、ほぼ一定である薬剤容器に装着される薬剤容器用ゴム栓であって、前記薬剤容器用ゴム栓は、本体部と、前記本体部の下面より、下方に延び、前記薬剤容器の前記首部に嵌入可能な筒状の容器内進入部とを備え、前記本体部は、前記容器内進入部よりも径方向外側に配置され、前記薬剤容器への装着時において、前記開口部の上面と当接する周縁部を有し、前記容器内進入部は、前記薬剤容器への装着時において、前記薬剤容器の前記首部の内面に接触する外面部と、前記本体部の前記下面の中央部から下方に向かってほぼ同一形状にて延びる柱状空隙部を形成する上部内面部と、前記上部内面部の下端より前記容器内進入部の外面部方向かつ斜め下方に延びる傾斜面とを有し、上記外面部の少なくとも上端部は、前記首部の内面と環状かつ液密に接触しており、前記傾斜面の下端は、前記容器内進入部の外面部に到達もしくは近接している薬剤容器用ゴム栓。【００６８】
本発明のゴム栓では、中空針の側孔が柱状空隙部に位置する状態にて、医療用液体を吐出することにより、吐出された液体は、柱状空隙部の内面、それと連続し、かつ下端が容器内進入部の外面に到達もしくは近接している傾斜面を伝って流れた後、薬剤容器の内面を伝って下方に流下するため、液体吐出時における泡立ちの発生が少ない。【００６９】
また、上記の実施態様は、以下のものであってもよい。
（２）  前記傾斜面は、前記柱状空隙部の中心軸に対して向かい合うように２つ設けられている上記（１）に記載の薬剤容器用ゴム栓。
（３）  前記容器内進入部は、上端部より下方に、前記柱状空隙部と連通する側部空隙部を備えている上記（１）または（２）に記載の薬剤容器用ゴム栓。
（４）  前記側部空隙部は、前記柱状空隙部を挟んで向かい合うように２つ設けられている上記（３）に記載の薬剤容器用ゴム栓。
（５）  前記傾斜面は両側部を有し、前記容器内進入部は、前記傾斜面の前記両側部に設けられた下方に延びる脚部を有し、前記脚部は、少なくとも前記傾斜面の下端まで延びる前記外面部を有する上記（１）ないし（４）のいずれかに記載の薬剤容器用ゴム栓。
（６）  前記脚部は、前記傾斜面の下端より下方まで延びる前記外面部を有する上記（５）に記載の薬剤容器用ゴム栓。
（７）  前記脚部は、前記外面部の下端から下方に向かって縮径する下端縮径部を有する上記（６）に記載の薬剤容器用ゴム栓。
（８）  前記薬剤容器用ゴム栓は、前記傾斜面の上方もしくはその付近となる前記本体部の上面に設けられた傾斜面マーカーを備えている上記（１）ないし（７）のいずれかに記載の薬剤容器用ゴム栓。
（９）  前記傾斜面は、前記柱状空隙部を環状に取り囲みかつ下方に向かって拡径するテーパー状傾斜面である上記（１）に記載の薬剤容器用ゴム栓。
（１０）  前記薬剤容器用ゴム栓は、前記柱状空隙部の上方となる前記本体部の上面に設けられた柱状空隙部マーカーを備えている上記（１）ないし（９）のいずれかに記載の薬剤容器用ゴム栓。
（１１）  前記本体部は、円盤状である上記（１）ないし（１０）のいずれかに記載の薬剤容器用ゴム栓。【００７０】
また、本発明の薬剤収納済薬剤容器は、以下のものである。
（１２）  前記薬剤容器と、前記薬剤容器に装着され、前記開口部を封止する上記（１）ないし（１１）のいずれかに記載の薬剤容器用ゴム栓と、前記薬剤容器内に収納された薬剤とを備える薬剤収納済薬剤容器。【００７１】
また、上記の実施態様は、以下のものであってもよい。
（１３）  前記薬剤収納済薬剤容器は、前記ゴム栓が装着された前記薬剤容器の前記開口部の周縁部および前記ゴム栓の周縁部を被覆する被覆部材を備えている上記（１２）に記載の薬剤収納済薬剤容器。【００７２】
また、本発明の薬剤容器セットは、以下のものである。
（１４）  上記（１２）または（１３）の薬剤収納済薬剤容器と、前記薬剤収納済薬剤容器の前記ゴム栓に刺通可能な液体注入用針とからなる薬剤容器セットであって、前記液体注入用針は、閉塞した穿刺端と先端部側部に設けられた液体排出用の側孔を有している薬剤容器セット。【００７３】
また、上記の実施態様は、以下のものであってもよい。
（１５）  前記液体注入用針は、向かい合うように２つの側孔を有している上記（１４）に記載の薬剤容器セット。
（１６）  前記液体注入用針は、前記液体注入用針の側面かつ前記側孔を通る前記液体注入用針の軸線上に設けられた側孔マーカーを備えている上記（１５）に記載の薬剤容器セット。
（１７）  前記薬剤容器セットは、前記液体注入針に接続可能かつ医療用液体が充填されたプレフィルドシリンジを備えている上記（１４）ないし（１６）のいずれかに記載の薬剤容器セット。
【図１】
2017164231.tif 000003
【図２】
2017164231.tif 000004
【図３】
2017164231.tif 000005
【図４】
2017164231.tif 000006
【図５】
2017164231.tif 000007
【図６】
2017164231.tif 000008
【図７】
2017164231.tif 000009
【図８】
2017164231.tif 000010
【図９】
2017164231.tif 000011
【図１０】
2017164231.tif 000012
【図１１】
2017164231.tif 000013
【図１２】
2017164231.tif 000014
【図１３】
2017164231.tif 000015
【図１４】
2017164231.tif 000016
【図１５】
2017164231.tif 000017
【図１６】
2017164231.tif 000018
【図１７】
2017164231.tif 000019
【図１８】
2017164231.tif 000020
【図１９】
2017164231.tif 000021
【図２０】
2017164231.tif 000022
【図２１】
2017164231.tif 000023
【図２２】
2017164231.tif 000024
【図２３】
2017164231.tif 000025
【国際調査報告】
2017164231.tif 000026
2017164231.tif 000027
2017164231.tif 000028
2017164231.tif 000029